(57)【特許請求の範囲】
【請求項１】
各リンクの長手方向前側にリンクのほぼ下半厚みに相当する前側下段部を形成する一方、同長手方向後側にリンクのほぼ上半部厚みに相当する後側上段部を形成して前後に配置された各リンクの上下段部を重合したうえ各重合部にそれぞれ連結ピンを貫挿して多数のリンクをエンドレス状に連結し、各連結ピンの下端にガイドローラを設ける一方、リンクの上部に荷物を載せるスラットを取付けたスラットコンベヤにおいて、
前記各リンクの後側上段部の連結ピン貫挿位置にピン孔より大径の軸受け孔を設け、前記各リンクのうち少なくとも一つおき又は数個おきのリンクの後側上段部に前記連結ピンの上半部を挿合しうる偏心状のピン孔を有する軸受け筒を嵌合し、前記各リンクの残りの後側上段部に前記連結ピンの上半部を挿合しうる同心状のピン孔を有する軸受け筒を嵌合し、
前記各リンク上段部の長手方向と、連結ピン及び軸受け筒の頂部直径方向にそれぞれ同一深さ、幅の溝を設け、
前記各連結ピン及び軸受け筒の頂部に形成させた溝とリンク上位段部の溝とを連通状態にしてロック部材をはめ込み、該ロック部材の両端をリンク上段部にビス止めする、
ことを特徴とするスラットコンベヤのチェーン伸び調整装置。
【請求項２】
多数のリンクをエンドレス状に連結したリンクチェーンの長さ調整をする際に、前記連結ピンの上半部を挿合しうる偏心状ピン孔を有する軸受け筒を嵌合した前記各リンクのうち少なくとも一部のリンクまたは１つおき乃至数個おきのリンクにおいて、前記ロック部材を取り外した上、前記偏心状ピン孔を有する軸受け筒を回転させてピン孔の偏心位置を変更し、前記連結ピン及び軸受け筒の溝とリンク上段部に溝とを連通状態にしロック部材を嵌め込むことで前記リンクチェーンの長さ調整を可能とすることを特徴とする請求項１に記載のスラットコンベヤのチェーン伸び調整装置。
【発明の詳細な説明】
【０００１】
本発明は、曲走又は直線搬送路の形成が可能なスラットコンベヤチェーンの任意位置のチェーンピッチを変更することによりチェーンの伸びを調整する装置に関する。
【０００２】
【従来の技術】
曲走又は直線搬送可能なスラットコンベヤは、通常チェーンリンクの前側に形成した下段部をリンク後側に形成した上段部を重合し、重合部にそれぞれ連結ピンを貫挿して多数のリンクを連結すると共に、各連結ピンの下端にガイドローラを取付け、リンクの上部に荷物を載せるスラットを取付けたもので、平面上カーブした経路を走行する。
このようなコンベヤとして知られている実用新案登録第２５７４０３９号には、連結ピンの上部に偏心頭部を一体に形成し、チェーンリンクのピン孔に前記偏心頭部を嵌合できる偏心孔付から各種方面においてスラットコンベヤが利用されている。スラットコンベヤの一例を示すと、例えば物品を所定位置に搬送するため、床面上に例えばフレームをアンカボルトにて固定して適宜曲がりくねった経路の搬送路が構成されることが多い。この搬送路の中央部分にエンドレスのチェーンを走行させる。このチェーンの上部に多数のスラット支持部材を取付け、このスラット支持部材上に矩形状の合成ゴムで形成されたスラットを取付けていた。
【０００３】
上記コンベヤのチェーンは、左右側にリンクを配設した組と、上下側にリンクを配設した組とを交互に組み合わせ、リンク相互の接続位置には十字状のシャフトを設けて回動自在に且つエンドレスに形成されている。十字状のシャフトの上下方向に廷伸された軸上には、それぞれローラが回転自在に設けてあり、フレームの略々中央部爪のチェーン架設位置に設けられたガイドに沿って転動する。また、シャフトの左右方向に廷伸された軸上にもローラが回転自在に設けてあって、このローラはフレームに設けられたガイドに沿って転動し、駆動装置によりチェーンは搬送路に沿って移動されるようになっている。
スラット支持部材は締着部材を介して各リンクに取付けられており、これらのスラット支持部材に取付けられるスラットは、スラット支持部材の進行方向に向ってスラットの後端部に、後続するスラットの前輪上面が下側に重ね合わされ、スラット上に載置される物品を搬送路上に落とすことなくスムーズに搬送できるようになっている。
【０００４】
【発明が解決しようとする課題】
しかしながら、上記のようなスラットコンベヤにおいては、長期間の使用により接続用シャフトの摩耗等により、チェーンに伸びを生じてリンクにガタ等を発生し、搬送部のカーブ部分での走行に円滑性を欠き、振動や騒音をおこす。このため、従来では、チェーンの伸びに合わせてフレーム及び走行レール等の軌道系を移動することによりチェーンの伸びを吸収することで対応していた。この軌道系の移動方法は、例えば、コンベヤフレームのカーブ部分と直進部分との接続部のところを調整するようにしていたが、フレームは通常アンカーボルトによって床面に固定されており、前記カーブ部分を移動させたり、移動によって生じた隙間に新しい部材を充填せしめて調整することは、大掛りな工事を必要とするばかりか多くの手間と時間を必要とし、また、摩耗したシャフトを交換するにはチェーンやリンクプレートを分解し再組立を行なわなければならなかった。
本発明は、ピン孔を偏心状にあけた軸受け筒を回動させてピン孔の偏心位置を変えることにより任意の位置のチェーンピッチを調節するようにしたもので、従来形のようにフレームを移動することなく、またスラット支持部材の間隔を大きく変化させることなくチェーンの張りを容易に調整することができるスラットコンベヤを提供することを目的とする。
【０００５】
【課題を解決するための手段】
上記目的を達成するため、本発明の請求項１は、各リンクの長手方向前側にリンクのほぼ下半厚みに相当する前側下段部を形成する一方、同長手方向後側にリンクのほぼ上半部厚みに相当する後側上段部を形成して前後に配置された各リンクの上下段部を重合したうえ各重合部にそれぞれ連結ピンを貫挿して多数のリンクをエンドレス状に連結し、各連結ピンの下端にガイドローラを設ける一方、リンクの上部に荷物を載せるスラットを取付けたスラットコンベヤにおいて；前記各リンクの後側上段部の連結ピン貫挿位置にピン孔より大径の軸受け孔を設け、前記各リンクのうち少なくとも一つおき又は数個おきのリンクの後側上段部に前記連結ピンの上半部を挿合しうる偏心状のピン孔を有する軸受け筒を嵌合し、前記各リンクの残りの後側上段部に前記連結ピンの上半部を挿合しうる同心状のピン孔を有する軸受け筒を嵌合し；前記各リンク上段部の長手方向と、連結ピン及び軸受け筒の頂部直径方向にそれぞれ同一深さ、幅の溝を設け；前記各連結ピン及び軸受け筒の頂部に形成させた溝とリンク上位段部の溝とを連通状態にしてロック部材をはめ込み、該ロック部材の両端をリンク上段部にビス止めする、ことを特徴とするスラットコンベヤのチェーン伸び調整装置である。
請求項２は、多数のリンクをエンドレス状に連結したリンクチェーンの長さ調整をする際に、前記連結ピンの上半部を挿合しうる偏心状ピン孔を有する軸受け筒を嵌合した前記各リンクのうち少なくとも一部のリンクまたは１つおき乃至数個おきのリンクにおいて、前記ロック部材を取り外した上、前記偏心状ピン孔を有する軸受け筒を回転させてピン孔の偏心位置を変更し、前記連結ピン及び軸受け筒の溝とリンク上段部に溝とを連通状態にしロック部材を嵌め込むことで前記リンクチェーンの長さ調整を可能とすることを特徴とする請求項１に記載のスラットコンベヤのチェーン伸び調整装置である。
【０００６】
【発明の実施の形態】
以下本発明の実施の形態を図面に基づいて説明する。
図１は本発明の一実施例に係るスラットコンベヤの斜視図を示す。
スラットコンベヤ１は、リンクチェーン１１を構成する各チェーン１２の上面にボルト９、９を用いて固着したブラケット８の上部にスラット５を取付けており、下流側スラットの後部に上流側スラットの前部分が順次重なって搬送面が形成され、矢印３０の方向に走行される。
フレーム２の長手方向中央にはガイドレール３を設けて各連結ピン１０の下端細径部１６に取付けたガイドレール１５をガイドし、またスラット両翼下面に設けた脚７、７に走行ローラ６、６を取付けてフレーム２の左右の支持レール４、４に当接させている。なお、各リンク１２は、例えば、走行方向前部側に形成した下段部１３に、前段リンクの後部側に形成した上段部１４を順次重合すると共に、前記リンク上段部１４に軸受け筒１８、１９（図２、３）を配置したうえそれぞれ連結ピン１０、１０を貫挿している。
【０００７】
図２は図１におけるリンクチェーンの拡大縦断面図、図３は図２の平面図、図４は図３のＡ−Ａ線における縦断面図である。
リンク１２は、図示のように、比較的厚みのあるブロック状をなしており、前側の下段部１３は、リンクのほぼ下半に相当する厚みを有し、後側の上段部１４はリンクの上半に相当する厚みを有している。リンク１５の前側下段部１３と後側部上段部１４との重合位置に連結ピン１０を貫挿するに当たり、前側下段部１３のほぼ中央にピン孔１７をあけておくのに対し、後側上段部１４にはピン孔より大径の軸受け孔２０を設けてピン上半部を挿合するためのピン孔をもつ軸受け筒（ピン上半部支持用受筒）１８または１９を嵌合する。第１の軸受け筒１８は同心状のピン孔１７ａを有し、第２の軸受け筒１９は偏心状のピン孔１７ｂを有している。
一連のリンクチェーンにおける第１、第２の軸受け筒１８、１９の組み込み位置及び数は任意であって、図示のように、前後に同心状ピン孔をもつ第１の軸受け筒１８を連結したり、あるいは１つおき、または、数個おきのリンク１２の前側に同心状ピン孔をもつ第１の軸受け筒１８、後側に偏心位置にピン孔１７ｂを有する第２の軸受け筒１９を連結ししたりしてもよい。なお、図４中、符号２２は、リンク端の下段部１３のピン孔１７に嵌装したスリ−ブ、２３はリンク端の上段部１４の軸受け孔２０に嵌装したスリ−ブであって、図３では、これらスリーブの図示を省略している。
【０００８】
上記のように、この装置は、比較的厚みのあるブロック状リンク１２の前部側下段部１３に、前段リンクの後部側上段部１４を順次重合し、各重合部に連結ピン１０を貫挿して多数のリンクをエンドレス状に連結するものであるが、さらに、各リンク上段部１４の上面長手方向に溝２４ａを削成する、一方連結ピン１０及び同心状ピン孔１７ａをもつ軸受け筒１８の頂部直径方向に溝２４ａと同一深さ、幅の溝２４ｂ、２４ｃをそれぞれ設けている。
偏心状ピン孔１７ｂを有する軸受け筒１９は、ピン孔の偏心方向に沿う軸受け筒１９の頂部にリンク上段部及び連結ピンと連通する、すなわち、原点位置または所定角度回動位置で連通する溝２４ｃを設けている。
なお、多数連結した大部分のリンク１２は、後側上段部１４の軸受け孔２０にピンの上半部支持用の同心状ピン孔１７ａをもつ軸受け筒１８が嵌合されるが、数個又は複数個おきのリンク１２の後側上段部１４には偏心状ピン孔１７ｂをもつ偏心軸受け筒１９を嵌合する。
【０００９】
チェーンの連結組立て時には、図２〜４に示すように、リンク上段部１４の溝２４ａの方向と、連結ピン１０頂部の溝２４ｂと軸受け筒１８、１９頂部の溝２４ｃの方向とを合わせて各溝を連通状態にし、これに共通するロック部材２５を嵌め込んで回り止めしたのち、ロック部材２５の両端近くにビス２６、２６を用いてリンク上段部１４にそれぞれ固定することにより、一定のピッチＰで連結されたリンクチェーンが完成される。なお、各連結ピン１０は、ロック部材２５の上縁と下段部１３の下部にそれぞれ止め輪２７をはめて抜け止めされている（図２）。
【００１０】
図５はピッチを調節したときのリンクチェーンの拡大縦断面図、図６はその平面図である。
スラットコンベヤの搬送運転によりチェーンに伸びを生じたときには、偏心軸受け筒１９の偏心位置を変更してピンを貫装することでピッチ調整することができる。
すなわち、偏心軸受け筒１９側のロック部材２５を取り外したうえ、偏心軸受け筒１９を回動（図示例では１８０°）させてピン孔１７ｂの偏心位置を変え、溝２４ａ、２４ｂ、２４ｃを連通状態にしたのち、再びロック部材２５を嵌め込む。このようにすることにより任意の位置のチェーンピッチＰをピッチＰ１に調節できる。例えば、基本のチェーンピッチＰを２００ｍｍ±０．２とした場合に２０５ｍｍに変更する。したがって、チェーン長さを１５ｍｍ短くするときには、任意位置における３個のリンクの偏心状軸受け筒を１８０°回動させて組み直すことによりチェーン伸びを調整することができる。
このように、偏心軸受け筒１９による連結ピン１０の偏心部分だけ長く設定した状態で、スラットコンベヤを走行させておき、長期の使用によってチェーンピッチが、連結用シャフトの摩耗等によって伸びた時に、偏心位置を変更することによりピッチを容易に調整することができる。
【００１１】
【発明の効果】
以上のように本発明は、偏心位置にピン孔をもつ軸受け筒を所定の角度回動させて連結ピンを貫装することで任意の位置のチェーンピッチを調節することができる。また、各リンク上段部の長手方向と、連結ピン及び軸受け筒の頂部直径方向にそれぞれ同一深さ、幅の溝を設け、これらの溝を連通状態にしたロック部材を嵌め込み、ロック部材の両端をリンク上段部にビス止めしているので連結ピンの軸受け筒に対する回り止めを確保することができる。
【図面の簡単な説明】
【図１】本発明のチェーン伸び調整装置を備えたスラットコンベヤの斜視図である。
【図２】図１におけるリンクチェーンの拡大縦断面図である。
【図３】図２の平面図である。
【図４】図３のＡ−Ａ線における縦断面図である。
【図５】ピッチを調整したときのリンクチェーンの拡大縦断面図である。
【図６】図５の平面図である。
【符号の説明】
１  スラットコンベヤ            ２  フレーム
３  ガイドレール                ４  支持レール
５  スラット                    ６  走行ローラ
７  脚                          ８  ブラケット
９  ボルト                      １０  連結ピン
１１  リンクチェーン            １２  リンク
１３  下段部                    １４  上段部
１５  ガイドローラ              １６  ピン細径部
１７、１７ａ、１７ｂ  ピン孔    １８  軸受け筒
１９  偏心軸受け筒              ２０  軸受け孔
２４ａ、２４ｂ、２４ｃ  溝      ２５  ロック部材
２６  ビス                      ２７  止め輪
３０  走行方向
【図１】
0004099639.tif 000002
【図２】
0004099639.tif 000003
【図３】
0004099639.tif 000004
【図４】
0004099639.tif 000005
【図５】
0004099639.tif 000006
【図６】
0004099639.tif 000007